(57)【要約】【課題】迅速に羽織って着用することができるため、雨や雪から衣服および所持品が濡れるのを最小化することが可能な雨着の提供。【解決手段】身体の上部に羽織って着用することができるようにシート部材の前面は開放され、この開放されたシート部材の前面を掻き合わせることができるように前記シート部材には襟合わせ部と胸元合わせ部が設けられ、前記襟合わせ部と前記胸元合わせ部には互いにロックされて開放前面を締結する締結手段が備えられ、前記シート部材には頭部を覆い被せることが可能な帽子を含み、透明な防水素材から形成されているマント型雨着を提供する。【選択図】図１
2009074231.tif 000002
【特許請求の範囲】
【請求項１】
身体の上部に羽織って着用することができるようにシート部材の前面は開放され、この開放されたシート部材の前面を掻き合わせることができるように前記シート部材には襟合わせ部と胸元合わせ部が設けられ、前記襟合わせ部と前記胸元合わせ部には互いにロックされて開放前面を締結する締結手段が備えられ、前記シート部材には頭部を覆い被せることが可能な帽子を含み、透明な防水素材から形成されていることを特徴とする、マント型雨着。
【請求項２】
前記シート部材は０．０５ｍｍの厚さを有することを特徴とする、請求項１に記載のマント型雨着。
【請求項３】
前記シート部材の外周には皺部が設けられていることを特徴とする、請求項１に記載のマント型雨着。
【請求項４】
前記シート部材と帽子には、夜間歩行の際に運転者が識別し得るように反射フィルムが取り付けられていることを特徴とする、請求項１に記載のマント型雨着。
【発明の詳細な説明】
【技術分野】
【０００１】
本発明は、マント型雨着に係り、より詳しくは、突然の雨や雪の場合にも、体の上部に迅速に羽織って着用することができて衣服および所持品が濡れないようにし、着用後には動きに全く不便さを感じないようにするためのマント型雨着に関する。
【背景技術】
【０００２】
一般に、雨着は、上着の上に着用するもので、雨や雪から衣服および所持品が濡れるのを防止している。  
【０００３】
このような雨着は、主に、ゴアテックスなどの防水効果に優れた素材を用いて生産しており、購買効果を高めるために多様な色彩を採用している。この他にも、雨着は表面に各種デザインをプリントして提供している。    
【０００４】
したがって、このような雨着の着用によって、突然の雨や雪から衣服および所持品が濡れるのを防いでいるが、従来の雨着は、衣服型であって、主に着衣しなければならない。ところが、従来の雨着は、着衣の際に袖部に腕がスムースに入らないことがあって不便であり、着脱の際にも袖部が内側に巻き込まれることがあって不便であった。
【０００５】
しかも、従来の衣服型雨着は、袖部が雨着本体の外部に設けられているため、手だけでなく所持品も外部に露出するから雨や雪に濡れてしまうという問題点があった。
【０００６】
かかる問題点を解消するために、特許文献１の「雨着」が提案された。特許文献１には、頭部を覆い被せることができるように上端部が密閉されており、帽子の前面のみが開放されている雨着であって、下端部の底辺を手を用いて互いに相応するように広げることができるようになっており、広げられた底辺に頭部、上体、および下体を順次通して着用する雨着が開示されている。
【０００７】
ところが、特許文献１の雨着は、下端部の底辺に頭部から通して着用するため着用に不便さがあり、下端部の底辺が密着し合ってよく分離されないこともあり、下端部の底辺に着用者の頭部から通すときに袖部が内側に巻き込まれたり下端部の底辺に着用者の身体がスムースに入らなくなったりして、着用に多くの時間がかかるので、雨や雪に衣服だけでなく所持品も濡れてしまうという問題点がある。
【０００８】
さらに、特許文献１の雨着は、着脱の際にも非常に不便であった。
【特許文献１】韓国実用新案公開公報第１９９６−００２６５０２号明細書
【発明の開示】
【発明が解決しようとする課題】
【０００９】
そこで、本発明は、前述した従来の問題点を解消するためのもので、その目的は、迅速に羽織って着用することができるため、雨や雪から衣服および所持品が濡れるのを最小化することが可能な雨着を提供することにある。
【００１０】
本発明の他の目的は、突然の雨や雪の場合にも、身体の上部に迅速に羽織って着用することができるため、衣服および所持品が濡れるのを防止することが可能なマント型雨着を提供することにある。
【００１１】
本発明の別の目的は、着用後にも移動または行動が非常に便利なマント型雨着を提供す
ることにある。
【００１２】
本発明の別の目的は、体積が小さくて携帯または保管が便利なマント型雨着を提供することにある。
【課題を解決するための手段】
【００１３】
上記目的を達成するために、本発明は、身体の上部に羽織って着用することができるようにシート部材の前面は開放され、この開放されたシート部材の前面を掻き合わせることができるように前記シート部材には襟合わせ部と胸元合わせ部が設けられ、前記襟合わせ部と前記胸元合わせ部には互いにロックされて開放前面を締結する締結手段が備えられ、前記シート部材には頭部を覆い被せることが可能な帽子が付いている、マント型雨着を提供する。
【発明の効果】
【００１４】
上述した本発明に係る雨着は、身体の上部に羽織って着用するので、迅速な着用により、突然の雨や雪の場合にも衣服および所持品が濡れるのを防止することができる。
【００１５】
また、本発明の雨着は、襟合わせ部と胸元合わせ部によって雨着の上端と前部は閉鎖されるが、下方は開放されているうえ、皺部が設けられているため、着用後の移動または行動が非常に便利である。
【００１６】
また、本発明の雨着は、透明な防水素材からマント状に形成されることにより、洗練された外観を有し、視野確保が容易であって歩行の際に歩行者の安全を確保することができる。
【００１７】
また、本発明の雨着は、帽子の上面とシート部材の背面に取り付けられた反射フィルムにより、夜間歩行の際に運転者が識別することができて事故の危険性を低めることができるうえ、０．０５ｍｍの極めて薄い厚さに形成されることにより、未使用の際には水気を除去して展開状態で多数回折り畳んでも体積が小さくて携帯および保管が便利である、非常に有用な発明である。
【発明を実施するための最良の形態】
【００１８】
以下、本発明の好適な実施の形態を添付図面に基づいて詳細に説明する。
【００１９】
図１は本発明に係るマント型雨着の実施例を示す斜視図であって、シート部材および帽子を含んでいるマント型雨着を羽織って着用した状態を示している。
【００２０】
図２は本発明に係るマント型雨着に反射フィルムが取り付けられていることを示す背面図であって、シート部材の背面に横方向に長く反射フィルムが取り付けられていることを示す。
【００２１】
図３は本発明に係るマント型雨着を広げた状態を示す正面図であって、前面が開放されたシート部材に襟合わせ部と胸元合わせ部が設けられ、これらの襟合わせ部と胸元合わせ部を互いにロックするための締結手段が対称的に備えられたことを示す。
【００２２】
すなわち、図１〜図２に示すように、本発明に係るマント型雨着１は、突然の雨や雪に衣服および所持品が濡れるのを防ぐためのものである。
【００２３】
このために、前記マント型雨着１は、防水素材が好ましく、このような防水素材を用いてシート部材１０を形成する。
【００２４】
すなわち、本発明に係るマント型雨着１は、防水素材からシート部材１０を形成するが、好ましくは０．０５ｍｍの厚さにし、身体に羽織って着用したときに重量感を感じられないほど軽いことにより、移動または行動による疲労感または不便さがないようにする。
【００２５】
このようなシート部材１０を０．０５ｍｍの厚さにするための素材としては、ポリエチレンが最も適する。
【００２６】
また、前記シート部材１０は、身体の上部から下部の膝まで十分覆いながら羽織ることができる程度の長さが好ましく、さらに好ましくは上部から下部に行くほど益々広がる形状に形成し、雨や雪が勾配のあるシート部材１０に沿って床に自然落下するようにする。
【００２７】
このようなシート部材１０は、身体の上部に羽織って着用し得るように前面が開放されており、この開放された前面には襟合わせ部１１と胸元合わせ部１２が設けられ、この襟合わせ部１１と胸元合わせ部１２には互いにロックされて開放前面を締結するための締結手段１３が備えられる。
【００２８】
前記締結手段１３の例としては、ロックとロック解除が容易なスナップ、ボタンおよびベルクロなどが主に用いられるが、それらのいずれか一つを選択して使用しても構わない。最も好ましくは、迅速なロックとロック解除を実現することが可能なスナップである。
【００２９】
したがって、本発明に係るマント型雨着１は、シート部材１０の前面を開放した状態で身体の上部に羽織って着用し、着用後には掻き合わせて襟合わせ部１１の締結手段１３を用いて締結することにより、上方からの雨または雪が身体の首元を介してシート部材１０の中に入ってくるのを遮断する。
【００３０】
また、同様の方法で襟合わせ部１１の下端に位置した胸元合わせ部１２の同士も掻き合わせて締結手段１３を用いて締結することにより、前方からの雨または雪に衣服および所持品が濡れるのを防ぐ。
【００３１】
ここで、前記シート部材１０の前面下端は締結せず、自由にひらつくようにしている。これはシート部材１０を羽織って着用するとき、移動または活動に不便さがないようにするためである。
【００３２】
このような移動性と活動性を一層高めるために、本発明に係るシート部材１０の外周に皺部１４が設けられ、移動または行動の際に前記皺部１４の折り畳み部分が展開されてシート部材１０の内部空間を拡張する。
【００３３】
よって、手で持ち上げている所持品が身体の一部、例えば脚または膝に触れないため、動きに全く不便さがない。このような皺部１４は、外部から眺めたとき、美観上でも流麗さを見せることができて、購買意欲を高める役割も同時に果たす。
【００３４】
一方、前記シート部材１０の上端には頭部を覆い被せることができるように帽子１５が設けられる。よって、雨または雪に頭部が濡れるのを防止することができる。
【００３５】
前記帽子１５は、図３の仮想線で表示したように、両端を取って互いに内方に引っ張って折り畳んだ後、互いに接する部分を縫い付けることにより、頭部を覆い被せることが可能な収容空間１６を形成する。
【００３６】
ここで、前記帽子１５は、シート部材１０から一体に延設することができ、場合に応じ
ては別途の帽子１５を取り付けることもできることを前もって明らかにしておく。
【００３７】
このような帽子１５の上面には長手方向に広く第１反射フィルム２０が取りけられる。前記帽子１５に取り付けられた第１反射フィルム２０と同一の材質からなる第２反射フィルム２１が、シート部材１０の背面、すなわち背または肩などに横方向に長く取り付けられる。
【００３８】
これは、雨または雪が降る夜間には、平常時とは異なり、運転者の視野確保が難しいうえ、前方および後方の物体、人などを識別することが非常に難しいためである。
【００３９】
しかも、雨または雪が降る悪天後に夜間運転を行うと、運転者の識別力および集中力が低下して安全事故が多発的に起るため、平常時より事故発生率が高いのは自明なことである。
【００４０】
したがって、前記第１、第２反射フィルム２０、２１が帽子１５とシート部材１０に取り付けられて提供されることにより、運転者の注意を喚起して夜間歩行の際にも雨着着用者の安全を確保することができる。
【００４１】
このような帽子１５およびシート部材１０を含んでいるマント型雨着１は、透明な素材から製作されることにより、全体的にみて洗練美を与えることができ、特に前記帽子１５が透明なので、歩行の際に視野確保が容易であって歩行者の安全を確保することができる。
【００４２】
一方、前述した本発明に係るマント型雨着１は、雨または雪が止まって使用しない場合、シート部材１０および帽子１５の水気を除去し、襟合わせ部１１と胸元合わせ部１２に備えられた締結手段１３を順次引っ張って分離した後、折り畳んで携帯または保管する。
【図面の簡単な説明】
【００４３】
【図１】本発明に係るマント型雨着の実施例を示す斜視図である。
【図２】本発明に係るマント型雨着に反射フィルムが取り付けられていることを示す背面図である。
【図３】本発明に係るマント型雨着を広げた状態を示す正面図である。
【符号の説明】
【００４４】
１      雨着
１０    シート部材
１１    襟合わせ部
１２    胸元合わせ部
１３    締結手段
１４    皺部
１５    帽子
１６    収容空間
２０    第１反射フィルム
２１    第２反射フィルム
【図１】
2009074231.tif 000003
【図２】
2009074231.tif 000004
【図３】
2009074231.tif 000005